(57)【要約】【課題】  中空柱内において上方からの降下物を受け止めて下方への降下を防止する。【解決手段】  中空柱１０１の地際部分を複数の補強環１１で更に補強するに当たり、アラミドロッド３とＰＣ鋼線５の複数の補強用棒状部材からなる補強組立体９８を上方に吊り上げてから補強組立体９８の下側であって側部開口１０１ａの上部に閉塞具１を設置して、上方に吊り上げた補強組立体９８や補強組立体の構成部材などの移動を閉塞具１で受け止める。【選択図】        図１
2011162949.tif 000002
【特許請求の範囲】
【請求項１】
下部が地中に埋設されて地上に立設された中空柱の内部に設けられる作業空間を確保するために該作業空間の上方に設置される中空柱の閉塞具であって、
中空柱の内径よりも小さい外径を有し、前記作業空間上部を塞ぐ閉塞手段と、
この閉塞具を作業空間の上方の中空柱内に一時的に固定する固定手段と
を有することを特徴とする中空柱の閉塞具。
【請求項２】
前記閉塞手段は、中空柱の内径よりも小さい外径を有する環状部材と、この環状部材の内側に棒状部材を配設してなる閉塞部とを有することを特徴とする請求項１記載の中空柱の閉塞具。
【請求項３】
請求項１記載の中空柱の閉塞具を用いた閉塞方法であって、
中空柱の作業空間において中空柱を補強する補強体を作業空間よりも上方に移動した後に一時的に固定し、
前記補強体の下側であってかつ作業空間の上側の中空柱内に閉塞具を挿入し、
この挿入した閉塞具を中空柱内で水平に設定してから一時的に固定する
ことを特徴とする中空柱の閉塞方法。
【発明の詳細な説明】
【技術分野】
【０００１】
本発明は、下部が地中に埋設されて地上に立設された、例えば鋼管柱やコンクリート製電柱等の中空柱内において、中空柱内の作業空間を確保するための中空柱の閉塞具および該閉塞具を用いた中空柱の閉塞方法に関する。
【背景技術】
【０００２】
鋼管柱やコンクリート製電柱等は、通常、内部が空洞、すなわち中空の筒状体の中空柱であり、その基端部の所定長部分が地中に埋設されて地上に立設される。このような既設の中空柱は補強に際して、例えば、その地中に埋設された地中部分と地上に立設された地上部分との境の地際部分から１ｍ程上方の側面に側面開口を形成し、この側面開口から中空柱の内部に補強用棒状部材を複数本挿入して補強している（特許文献１）。
【０００３】
更に詳しくは、中空柱は、中空柱の中心軸に沿って固定的にガイド棒が立設される。このガイド棒を中心にして均等配置治具が上下方向に移動可能に保持され、さらにこの複数の均等配置治具により、複数の補強用棒状部材が中空柱の周方向に等角度で均等に配設されて、複数の補強用棒状部材と均等配置冶具とが一体的に構成される補強組立体が組まれる。そして、この補強組立体により中空柱の地際部分が補強される。
【先行技術文献】
【特許文献】
【０００４】
【特許文献１】特開２００７-７７６１３号公報
【発明の概要】
【発明が解決しようとする課題】
【０００５】
このように中空柱の比較的弱い地際部分を更に強固に補強するために、上述した補強組立体に加えて、中空柱の地際部分の内側に補強環などの補強部材を入れることが提案されている。このような補強環などの補強部材を中空柱の地際部分に入れて補強する作業は、従来、中空柱内の地際部分に複数の補強用棒状部材と均等配置治具とからなる補強組立体などを設けた後に行う。そのため、地際部分に補強環などの補強部材を入れるなどの補強作業を行う際には、この補強組立体などを一旦補強したい中空柱の地際部分から上方に移動し、この移動した上方で補強組立体などを一時的に紐などで締結して固定することで、補強したい地際部分に補強作業の妨げになる物がないようにしてから補強作業を行っている。
【０００６】
しかしながら、前記補強作業においては、上方に移動して一時的に固定された補強組立体などが下方に移動して、補強組立体が側部開口から中空柱内で行っている補強作業の妨げになる等の支障が生じることが考えられた。
【０００７】
本発明は、上記に鑑みてなされたもので、その目的とするところは、中空柱内において上方からの補強組立体や補強用棒状部材等の補強体の移動を受け止める中空柱の閉塞具および該閉塞具を用いた中空柱の閉塞方法を提供することにある。
【課題を解決するための手段】
【０００８】
上記課題を達成するため、請求項１記載の中空柱の閉塞具は、下部が地中に埋設されて地上に立設された中空柱の内部に設けられる作業空間を確保するために該作業空間の上方に設置される中空柱の閉塞具であって、中空柱の内径よりも小さい外径を有し、前記作業空間上部を塞ぐ閉塞手段と、この閉塞具を作業空間の上方の中空柱内に一時的に固定する固定手段とを有することを要旨とする。
【０００９】
請求項１にあっては、閉塞手段が作業空間の上方において中空柱内を塞ぐことから、作業空間内への補強体等の侵入を防ぐ。
【００１０】
請求項２記載の中空柱の閉塞具は、前記閉塞手段は、中空柱の内径よりも小さい外径を有する環状部材と、この環状部材の内側に棒状部材を配設してなる閉塞部とを有することを要旨とする。
【００１１】
請求項２にあっては、閉塞手段は、中空柱の内径よりも小さい外径を有する環状部材と、この環状部材の内側に棒状部材を配設してなる閉塞部とを有する。
【００１２】
請求項３記載の中空柱の閉塞具は、請求項１記載の中空柱の閉塞具を用いた閉塞方法であって、中空柱の作業空間において中空柱を補強する補強体補強体を作業空間よりも上方に移動した後に一時的に固定し、前記補強体の下側であってかつ作業空間の上側の中空柱内に閉塞具を挿入し、この挿入した閉塞具を中空柱内で水平に設定してから一時的に固定することを要旨とする。
【００１３】
請求項３にあっては、作業の妨げとなる補強体を作業空間よりも上方に移動した後に、閉塞手段を作業空間の上方に一時的に設置して中空柱内を塞ぐことから、補強体等の作業空間内への侵入が防止される。
【００１４】
これにより環状部材からなる閉塞具を中空柱内において作業空間の上方に水平に設置するため、中空柱内において作業空間の上方から降下物があったとしても、この降下物を閉塞部で受け止め、降下物の作業空間への降下を防止する。
【００１５】
また閉塞部が環状部材の内側に縦横に所定の狭い間隔で配設され、各両端が環状部材の内周部に固定的に取り付けられた複数の棒状部材を有する。
【００１６】
これにより閉塞部が環状部材の内側に縦横に所定の狭い間隔で配設された複数の棒状部材で構成されるため、中空柱内の作業空間の上方からの降下物は狭い間隔で配設された複数の棒状部材で受け止められ、降下物の作業空間への降下を防止する。
【００１７】
また固定手段が、前記環状部材の周囲を三等分以上に等角度でほぼ均等に分割した複数の箇所に最も近接した棒状部材の各部に複数のロープをそれぞれ結び、この複数のロープを作業空間の上方で中空柱に形成された開口部から中空柱の外部に出し、外部の固定部に固定する。
【００１８】
これにより環状部材の周囲を均等に分割した箇所に近接した棒状部材にロープを結び、このロープを作業空間の上方で中空柱の外部に出し、外部の固定部に固定するため、棒状部材からなる閉塞部は中空柱の上方からの降下物を確実に受け止める。
【００１９】
また、ロープが、棒状部材の各部に結ばれる端部がビニールロープで構成され、このビニールロープにステンレスワイヤロープを結び、このステンレスワイヤロープを中空柱に形成された開口部から外部に出し、外部の固定部に固定される。
【００２０】
これにより棒状部材に結ばれたビニールロープにステンレスワイヤロープを結び、このステンレスワイヤロープを中空柱の開口部から外部に出し、外部の固定部に固定するため、中空柱の開口部からステンレスワイヤロープを取り出して、容易に引っ張り上げる。
【００２１】
また、中空柱の作業空間において作業の妨げとなる物、具体的に補強体等を上方に吊り上げながら作業空間よりも上方に移動し、この移動した上方で一時的に固定し、この移動した物の下側であって、作業空間の上方の中空柱内に閉塞具を挿入し、この挿入した閉塞具を中空柱内で水平に設定してから一時的に固定する。
【００２２】
これにより中空柱の作業空間において作業の妨げとなる物を上方に吊り上げながら上方に移動して撤去し、この移動した補強体等の下側であって作業空間の上方に閉塞具を挿入するため、中空柱内において作業空間の上方から降下物があったとしても、この降下物を閉塞具の閉塞部で受け止め、降下物の作業空間への降下を防止する。
【００２３】
また、中空柱の作業空間において補強体等を上方に吊り上げながら作業空間よりも上方に移動し、この移動した上方で一時的に固定し、閉塞具の環状部材の周囲を三等分以上に等角度でほぼ均等に分割した複数の箇所に最も近接した棒状部材の各部に複数のロープをそれぞれ結び、この結ばれた複数のロープのうちの少なくとも２本を中空柱の側部開口の外部に残した状態で残りのロープを中空柱の側部開口から中空柱の内部に挿入してから、中空柱の側部開口よりも上方の所定の場所に形成された孔を貫通して外部に出した状態で閉塞具を中空柱の側部開口から中空柱の内部に挿入し、この側部開口から挿入された閉塞具を中空柱内で水平に設定し、前記孔を貫通したロープを上方に引っ張り上げるとともに側部開口の外部に残された少なくとも２本のロープを側部開口の外側で上方に引っ張り上げる動作を閉塞具の水平を維持しつつ全ロープについて均等に行って、閉塞具を作業空間の上方の中空柱内に水平に設置し、上方に引っ張り上げられたロープをすべて中空柱の外部の固定部に結び付けて固定する。
【００２４】
これにより中空柱の作業空間において補強体を上方に吊り上げながら上方に移動し、環状部材の周囲を均等に分割した箇所に近接した棒状部材にロープを結び、このロープを作業空間の上方で側部開口および側部開口より上方の孔から中空柱の外部に出して引っ張りながら閉塞具を中空柱内の作業空間の上方で水平に設定し外部に固定するため、中空柱内において作業空間の上方から降下物があったとしても、この降下物を閉塞具の閉塞部で受け止め、降下物の作業空間への降下を防止する。
【発明の効果】
【００２５】
本発明によれば、閉塞部を有する環状部材からなる閉塞具を中空柱内において作業空間の上方に設置するので、中空柱内において作業空間の上方から降下物があったとしても、この降下物を閉塞部で受け止め、作業空間を確保することができる。
【００２６】
本発明によれば、中空柱の作業空間において作業の妨げとなる物である補強組立体を吊り上げながら上方に移動し、この移動した物の下側であって作業空間の上方に閉塞具を挿入するので、中空柱内において作業空間の上方から降下物があったとしても、この降下物を閉塞具の閉塞部で受け止め、作業空間を確保することができる。
【図面の簡単な説明】
【００２７】
【図１】本発明の一実施形態に係わる中空柱の閉塞具を鋼管柱やコンクリート製電柱等の中空柱に適用して、中空柱の地際部分の補強作業を行いつつある状態を示す説明図である。
【図２】図１に示す閉塞具１の構成を示す平面図および側面図である。
【図３】中空柱の周囲に組み込まれた足場用鉄パイプに閉塞具を吊り下げているステンレスワイヤロープを取り付けた状態を示す図である。
【図４】閉塞具を側部開口から中空柱内に挿入しようとする状態を示す図である。
【図５】図４のように中空柱の側部開口から挿入された閉塞具が補強組立体の下側に水平に設定された状態を示す図である。
【図６】図５のように閉塞具が補強組立体の下側に水平に設定された状態で中空柱の下方のガイド棒に保護アーム組立体を取り付けた状態を示す図である。
【図７】図６のように中空柱の下方のガイド棒に取り付けられた保護アーム組立体をその縮退自在アームが伸長して広がった状態で示す斜視図である。
【図８】図６のように中空柱の下方のガイド棒に取り付けられた保護アーム組立体をその縮退自在アームが縮退してしぼんだ状態で示す斜視図である。
【図９】中空柱の地際部分に６個の補強環が配設された状態を示す図である。
【図１０】中空柱の地際部分を補強組立体と複数の補強環で堅固に補強した状態を示す説明図である。
【発明を実施するための形態】
【００２８】
以下、図面を用いて、本発明を実施するための形態(以下、実施形態と称する)を説明する。
【００２９】
図１は、本発明の一実施形態に係わる中空柱の閉塞具を鋼管柱やコンクリート製電柱等の中空柱１０１に適用して、中空柱１０１の地際部分の補強作業を行いつつある状態を示す説明図である。
【００３０】
図１においては、中空柱１０１の地際部分の補強作業を行うために、アラミドロッド３とＰＣ鋼線５からなる複数の補強用棒状部材などから構成される補強組立体９８がステンレスワイヤロープ２７で上方に引き上げられて一時的に固定されている状態を示す。
【００３１】
更に詳しくは、この補強組立体９８は、アラミドロッド３およびＰＣ鋼線５からなる複数の補強用棒状部材が中空柱１０１の長手方向に沿って配設されるとともに、中空柱１０１の中心軸に固定的に設定される後述するガイド棒１３を中心にして中空柱１０１の周方向に等角度で均等に配設されるように均等配置治具である複数のロッド配置用スペーサ７で固定的に保持され、このように保持された複数の補強用棒状部材の周囲を更に複数のビニールバンド９で取り囲み締め付けて固定することで全体が一体的に組み立てられている。
【００３２】
なお、補強組立体９８及び補強組立体９８を構成するアラミドロッド３、ＰＣ鋼線５、ロッド配置用スペーサ７、ガイド棒１３等はそれぞれが補強体として機能するものである。
【００３３】
このように中空柱内に一体的に組み立てられた補強組立体９８は、その一番上のロッド配置用スペーサ７に２本のビニールロープ２５をループ状に取り付け、この２本のビニールロープ２５の上端に２本のステンレスワイヤ２７をそれぞれ結び、この２本のステンレスワイヤ２７を中空柱１０１の上方に形成した２個のワイヤ通線孔２９に通して中空柱１０１の内部から外部に取り出し、この外部に取り出した２本のステンレスワイヤ２７を外部で矢印１００で示す方向に引っ張ることにより補強組立体９８の全体を上方に引き上げている。
【００３４】
更に具体的には、補強組立体９８は、中空柱１０１の補強作業を行う地際部分を中心とした作業空間、具体的には中空柱１０１の地際部分から１ｍほど上方の側面に中空柱１０１の長手方向に沿って形成された例えば幅５５ｍｍ、長さ４００ｍｍ程度の側部開口１０１ａから下方の作業空間よりも上方に引き上げられている。このように補強組立体９８を引き上げて空所となった側部開口１０１ａより下方の場所は、中空柱１０１の補強作業を行う地際部分を中心とした作業空間であるので、補強作業の妨げとなる補強体、すなわち補強組立体９８などがないことが補強作業を行う際に要求される。
【００３５】
図１においては、中空柱１０１の底の最下端から側部開口１０１ａの真横までには、ガイド棒１３が中空柱１０１の中心軸上を延出して配設されている。そして、このガイド棒１３の下端部には、ガイド棒固定用治具１５が取り付けられている。このガイド棒固定用治具１５は、ガイド棒１３を中空柱１０１の中心軸に固定的に設定するためのものであって、このガイド棒固定用治具１５をガイド棒１３の下端部に取り付けてから中空柱１０１内に挿入することにより、ガイド棒１３が中空柱１０１の底部において中空柱１０１の中心軸に固定されるようになっている。
【００３６】
また、ガイド棒３のガイド棒固定用治具１５が取り付けられている上方には、高ナットあるいは短パイプで構成されるストッパー１７が固定的に取り付けられているが、このストッパー１７は、後述する図１０に示すように、補強組立体９８の複数の補強用棒状部材を保持している複数のロッド配置用スペーサ７のうちの一番下のロッド配置用スペーサ７を受け止めて、この位置に固定的に支持し、この位置において補強組立体９８の全体を支持するようになっている。
【００３７】
なお、上述したように補強作業の妨げとなる補強組立体９８などを上方に移動して地際部分を中心とした作業空間を設けた後、この空の作業空間には、ガイド棒固定用治具１５で下端部が中空柱１０１の中心軸に固定されたガイド棒１３のみが残っている。
【００３８】
補強作業の妨げとなる補強組立体９８などを上方に移動して地際部分周辺を含む作業空間がガイド棒１３を除いて空所にした後、中空柱１０１の地際部分を補強するために、図１に示すように複数（本実施形態では６個）の補強環１１を側部開口１０１ａから中空柱１０１内に挿入する。なお、図１では、６個の補強環１１のうち第１番目の補強環１１が既に地際部分に挿入され、第２番目の補強環１１が側部開口１０１ａから挿入されつつあり、残りの４個の補強環１１がまだ外部にある状態を示している。
【００３９】
図１０は、上述した６個の補強環１１を中空柱１０１の地際部分に挿入して補強した後、図１に示したように上方に引き上げていた補強組立体９８を下方の所定の位置に戻し、これにより中空柱１０１の地際部分を補強組立体９８と複数の補強環１１で堅固に補強した状態を示す図である。
【００４０】
図１０において、６個の補強環１１は、中空柱１０１の地際部分において複数の補強用棒状部材からなる補強組立体９８の周囲を取り囲むように中空柱の内周面に沿って配設され、補強したい地際部分を中心とした所定の領域を覆うように互い密接に配設されている。上方に引き上げられていた補強組立体９８は、この地際部分の６個の補強環１１の内部を貫通するように下方に降ろされ、その最下端部のロッド配置用スペーサ７がストッパー１７に当接することにより図１０の位置に固定され、これにより補強組立体９８と６個の補強環１１により中空柱１０１の地際部分を堅固に補強している。
【００４１】
なお、図１０において、補強組立体９８の上部には、ガイド棒固定用治具１９が設けられているが、このガイド棒固定用治具１９は、その中心にガイド棒１３が挿入され、これによりガイド棒１３を側部開口１ａの近辺においても中空柱１の中心軸に合わせるようになっている。
【００４２】
図１に戻って、補強組立体９８が上方に引き上げられた状態において、この補強組立体９８の下方の中空柱１０１の地際部分に側部開口１０１ａから補強環１１などを挿入して補強作業を行うに先だって、補強組立体９８の真下であって側部開口１０１ａの上部に、すなわち中空柱１０１内の補強作業を行う作業空間の上方に閉塞具１を設置する。この閉塞具１は、３本のビニールロープ１０３で上方から吊るされて一時的に固定される。なお、図１においては、３本のビニールロープ１０３は、閉塞具１に結ばれた先端の一部のみが図示され、その他は図面の簡単化のため省略されている。
【００４３】
閉塞具１は、詳細には、図２（ａ）、（ｂ）に示すように、環状部材１ａと、この環状部材１ａの内側に縦横に配設された閉塞部を構成する複数の棒状部材１ｂとで構成されている。環状部材１ａは、その外径が中空柱１０１の内径よりも小さく、中空柱１０１内に挿入される場合には、その外周部が中空柱１０１の内周に沿うように中空柱１０１内において水平に設けられる。また、縦横に配設された複数の棒状部材１ｂは、各両端が環状部材１ａの内周部に固定的に取り付けられている。
【００４４】
なお、閉塞具１を構成する環状部材１ａおよび棒状部材１ｂは、金属性であることが好ましく、この場合には各棒状部材１ｂの両端は環状部材１ａの内周面に溶接されることが好ましいが、これに限定されるものではない。また、閉塞部は、本実施形態では棒状部材1bで構成されているが、これに限定されるものでなく、降下物を受け止められればよいものであり、例えば環状部材1aの内側に張られた鉄板などの板状の部材でもよいものである。
【００４５】
閉塞具１の棒状部材１ｂの３か所には、前記ビニールロープ１０３がループ状に取り付けられ、このループ状部を構成するビニールロープ１０３は、その結び目がビニールテープ１０５で覆われるとともに、このビニールテープ１０５のところでステンレスワイヤロープ１０７に連結されている。なお、３本のビニールロープ１０３は、環状部材１ａの周囲を三等分に等角度でほぼ均等に分割した３箇所に最も近接した棒状部材１ｂの各部にそれぞれ結び付けられ、これによりこの３本のビニールロープ１０３で閉塞具１を吊り下げた時、閉塞具１が水平になるようになっている。なお、ビニールロープ１０３は３本に限るものでなく、１本以上であれば４本や６本であっても良く、安定して保持されるためには３本が好適である。
【００４６】
上述したように、閉塞具１にループ状に取り付けられた３本のビニールロープ１０３およびこのビニールロープ１０３に連結された３本のステンレスワイヤロープ１０７は、このステンレスワイヤロープ１０７の先端が上方に引っ張られて、図３に示すように、中空柱１０１の周囲に中空柱の作業のために組みこまれた足場用鉄パイプ１１１に取り付けられ、これにより閉塞具１は、図１に示すように、上方に引き上げられた補強組立体９８の真下の側部開口１０１ａの上部に、すなわち補強のための作業空間の上方に水平に一時的に固定される。このように閉塞具１を作業空間の上方に設けることにより、上方に引き上げた補強組立体９８または補強組立体９８の一部の部材が降下しても、この降下物は閉塞具１の閉塞部を構成する棒状部材１ｂで受け止められ、作業空間に降下することがない。なお、ビニールロープ１０３、ステンレスワイヤロープ１０７、足場用鉄パイプ１１１は、本発明の固定手段を構成しているものである。
【００４７】
また、閉塞具１に３本のビニールロープ１０３を介して取り付けられた３本のステンレスワイヤロープ１０７は、図３から分かるように、そのうちの２本が側部開口１０１ａから上方に引き出され、足場用鉄パイプ１１１に取り付けられて固定されるが、残りの１本のステンレスワイヤロープ１０７は、中空柱の側部開口１０１ａの少し上に形成されている水抜孔１１３を貫通して外部に出た後、足場用鉄パイプ１１１に取り付けられ固定されている。
【００４８】
また、図１において、中空柱１０１の下方に設けられたガイド棒１３には、保護アーム組立体３１が取り付けられているが、この保護アーム組立体３１は、図７および図８に拡大して示すように、ガイド棒１３が挿通される２個の中心部３１ａ、３１ｂと、この中心部３１ａ、３１ｂから中空柱１０１の内周面に向かって図７のように伸長して広がったり、中空柱１の内周面から離隔してガイド棒１３にほぼ平行になって図８のように縮退してしぼむ３本の縮退自在アーム３３とから構成されている。
【００４９】
また、保護アーム組立体３１の下側の中心部３１ｂの下には六角形の高ナット３５がガイド棒１３を挿通されて取り付けられ、上側の中心部３１ａの上には六角形の高ナットなどからなる重り３７がガイド棒１３を挿通されて取り付けられ、この重り３７の少し離れた上方には六角形の高ナット３９がガイド棒１３を挿通されて取り付けられている。
【００５０】
なお、この高ナット３９には、いもねじ４１が螺合し得るようになっていて、このいもねじ４１を螺合して締め付けることにより高ナット３９をガイド棒１３に固定し得るようになっている。なお、重り３７は、この重り３７の重量を上側の中心部３１ａにかけることにより、縮退自在アーム３３を中空柱１の内周面に向かって図７のように伸長させて広げるためのものである。
【００５１】
そして、保護アーム組立体３１の中心部３１ｂの下の高ナット３５には、ワイヤ４３の下端が取り付けられ、このワイヤ４３の上端は、上方の高ナット３９に取り付けられている。また、保護アーム組立体３１の中心部３１ａにも、別のワイヤ４５の下端が取り付けられ、このワイヤ４５の上端はループ状に形成されて、高ナット３９の上方に突出したガイド棒１３に引っ掛けられている。
【００５２】
なお、ワイヤ４５を上方に引っ張ることにより重り３７の重量に抗して上側の中心部３１ａが上方に引き上げられ、縮退自在アーム３３を図８のように縮退させてしぼませることができる。
【００５３】
上述したように構成され、中空柱１０１内において図１または図７に示すように伸長して広がった状態の保護アーム組立体３１は、図１に示すように、中空柱１０１の側部開口１０１ａから補強環１１を中空柱１０１内に挿入する作業において補強環１１が中空柱１０１の下方の底に降下することを防止するためにガイド棒１３に取り付けられるものである。
【００５４】
すなわち、図１に示すように、保護アーム組立体３１がガイド棒１３に取り付けられて、中空柱の地際部分よりも少し下方の位置に設定された状態において、補強環１１を中空柱の側部開口１０１ａから中空柱内に挿入しつつある作業中において何らかの不注意で補強環１１を降下させてしまった場合、この降下した補強環１１は、保護アーム組立体３１の伸長して広がった縮退自在アーム３３で受け止められることになり、中空柱の底まで降下することを防止できる。
【００５５】
なお、中空柱の底まで降下してしまった補強環１１は、簡単に拾い上げることはできないが、保護アーム組立体３１の縮退自在アーム３３で受け止められた場合には、側部開口１０１ａから例えば先端がフック状の長い棒などを挿入してフック部に引っ掛けるなどしたり、または保護アーム組立体３１の高ナット３５に取り付けられているワイヤ４３を引き上げるなどして、降下した補強環１１を取り戻すことができる。
【００５６】
このように降下した補強環１１を受け止める保護アーム組立体３１を図１に示すように中空柱１０１の下部のガイド棒１３に取り付けるには、保護アーム組立体３１の縮退自在アーム３３を図８に示すように縮退させてしぼめ、このしぼめた状態で側部開口１０１ａから中空柱１０１内に挿入し、この中空柱内の側部開口の付近において保護アーム組立体３１の高ナット３５、中心部３１ａ、３１ｂ、重り３７、高ナット３９などの各部に順次ガイド棒１３を挿入する。保護アーム組立体３１にガイド棒１３が挿入されると、保護アーム組立体３１は、そのしぼんだ状態のまま、ガイド棒１３に沿って中空柱内を下方に降ろされ、図６に示すように、中空柱の地際部分よりも少し下方の位置に達した時、縮退自在アーム３３が図７に示すように伸長して開いた状態に設定され、この状態で上側の高ナット３９をいもねじ４１でガイド棒１３に取り付けることにより一時的に固定される。
【００５７】
図４は、先述したように、中空柱１０１の下方にガイド棒１３を残した状態で補強組立体９８を上方に引き上げて、地際部分を中心とした作業空間がガイド棒１３を除いて空所になった後、閉塞具１を側部開口１０１aから中空柱１０１内に挿入しようとする状態を示しているものである。
【００５８】
同図に示すように、閉塞具１は、垂直に立てるようにしながら中空柱１０１の側部開口１０１ａから中空柱内に挿入されるが、この場合前記３本のビニールロープ１０３に連結されたステンレスワイヤロープ１０７の１本は、中空柱の側部開口１０１ａの少し上に形成されている水抜孔１１３を貫通して外部に出され、それから上述したように足場用鉄パイプ１１１に取り付けられるが、残りの２本のステンレスワイヤロープ１０７は、側部開口１０１ａの外にあり、そのまま側部開口１０１ａの外で上述したように足場用鉄パイプ１１１に取り付けられる。
【００５９】
閉塞具１は、図４に示すように側部開口１０１ａから中空柱１０１内に入れられたあと、３本のステンレスワイヤロープ１０７で上方に引き上げられ、補強組立体９８の真下の側部開口１０１ａの上部に、すなわち補強のための作業空間の上方に図５に示すように水平に固定される。
【００６０】
図５に示すように、中空柱１０１の下方にガイド棒１３を残した状態で補強組立体９８を上方に引き上げて、空所になった地際部分を中心とした作業空間の上方に閉塞具１が水平に設定された後、図６に示すように、保護アーム組立体３１が上述したように下方のガイド棒１３に挿入される。このように閉塞具１が作業空間の上方に入れられ、下方のガイド棒１３に保護アーム組立体３１が挿入された後、図１に示すように、複数、すなわち本実施形態では６個の補強環１１が側部開口１０１ａから中空柱１０１内に挿入される。
【００６１】
この補強環１１の側部開口１０１ａからの挿入は、図１に示すように補強環１１を立てながら側部開口１０１ａから挿入し、中空柱１０１内に入ってから水平に戻し、ステンレスワイヤ２１で吊りながら、中空柱の地際部分に設定される。このように中空柱１０１内に側部開口１０１ａから挿入された６個の補強環１１は、中空柱１０１の地際部分において中空柱１０１の内周面に沿って配設され、図９に示すように、補強したい地際部分を中心とした所定の領域を覆うように互い密接に配設されている。
【００６２】
なお、このように６個の補強環１１が地際部分に密接に配設された後、保護アーム組立体３１はガイド棒１３から上方に引き上げられ、側部開口１０１ａから取り出されて、地際部分から除去されるが、図９は、このように保護アーム組立体３１が除去された状態を示している。
【００６３】
このように６個の補強環１１が地際部分に密接に配設された後、補強組立体９８は、地際部分の６個の補強環１１の内部を貫通するように下方に降ろされ、その最下端部のロッド配置用スペーサ７が図１０に示すようにストッパー１７に当接することにより図１０の位置に固定され、これにより補強組立体９８と６個の補強環１１により中空柱１０１の地際部分を堅固に補強する。
【００６４】
次に、上述した一連の動作を順を追って説明する。まず、アラミドロッド３とＰＣ鋼線５からなる複数の補強用棒状部材、この複数の補強用棒状部材を均等に保持する複数のロッド配置用スペーサ７および複数の補強用棒状部材の周囲を取り囲んで締め付けて固定している複数のビニールバンド９からなる補強組立体９８は、既に地際部分に組み込まれているものとする。
【００６５】
このように地際部分に組み込まれた補強組立体９８は、地際部分に行う補強作業の妨げとなる物であるので、図１に示すようにステンレスワイヤ２７で上方から吊り下げながら作業空間よりも上方に移動して撤去され、この移動した上方で一時的に固定する。
【００６６】
このように補強組立体９８を上方に移動して、補強を行う地際部分を中心とした作業空間がガイド棒１３を除いて空所となった後、図４に示すように、閉塞具１を立てながら側部開口１０１ａから中空柱１０１内に挿入し、図３に示すようにステンレスワイヤロープ１０７で水平に吊り下げながら足場用鉄パイプ１１１に取り付け、これにより補強組立体９８の真下であって側部開口１０１ａの上部に、すなわち中空柱１０１内の補強作業を行う作業空間の上方に閉塞具１を図５に示すように水平に設置する。
【００６７】
図５に示すように、閉塞具１が作業空間の上方に水平に設置された後、次に中空柱１０１の下方にガイド棒１３に図６に示すように保護アーム組立体３１を挿入する。保護アーム組立体３１がガイド棒１３に挿入された後、図１に示すように６個の補強環１１が一個ずつ順に側部開口１０１ａから中空柱１０１内に挿入される。
【００６８】
このような補強環１１の挿入作業において、上方に一時的に吊り上げた補強組立体９８やその一部の部品などが仮に降下したとしても、この降下物は、作業空間の上方に設けられた閉塞具１によって受け止められ、作業空間に降下してくることはなく、補強環１１の挿入作業を安全に行うことができる。
【００６９】
６個の補強環１１が側部開口１０１ａから中空柱内に挿入された後、中空柱１０１の下方のガイド棒１３に挿入されていた保護アーム組立体３１を上方に引き上げ、側部開口１０１ａから外部に撤去する。なお、保護アーム組立体３１の引き上げは、いもねじ４１を取り外してからワイヤ４３を側部開口１０１ａから上方に引っ張り上げて行う。保護アーム組立体３１を中空柱内から撤去すると、図９に示すように中空柱の地際部分には、６個の補強環１１が取り付けられ、これにより中空柱の地際部分が更に強固に補強される。
【００７０】
６個の補強環１１が地際部分に設けられるとともに、保護アーム組立体３１が撤去された後、図９に示すように中空柱１０１内に残っている閉塞具１を中空柱１０１から撤去する。この閉塞具１の撤去は、図４で説明した動作を逆に行うことにより達成される。
【００７１】
すなわち、図９のように水平に設定されていた閉塞具1のステンレスワイヤロープ１０７を緩めてから、図４に示すように閉塞具1を垂直に立てながら側部開口１０１ａを内部からくぐり抜けさせて外部に出し、最後にステンレスワイヤロープ１０７を水抜孔１１３から引っ張り出せばよい。
【００７２】
このように閉塞具１を中空柱１０１内から撤去すると、側部開口１０１ａより下方の地際部分を中心とした作業空間には、上述したように地際部分に設けられた６個の補強環１１とガイド棒１３のみが残り、この作業空間の上方には補強組立体９８がステンレスワイヤ２７で吊り下げられているので、次にこのステンレスワイヤ２７を緩めて、補強組立体９８を徐々に下方に降ろし、６個の補強環１１の内部を貫通させながら、更に下方に降ろし、補強組立体９８の最下端部のロッド配置用スペーサ７がストッパー１７に当接することにより補強組立体９８を図１０の位置に固定し、これにより補強組立体９８と６個の補強環１１により中空柱１０１の地際部分を補強する。それから、最後に補強組立体９８を吊り下げていたステンレスワイヤ２７およびビニールロープ２５をほどいて取り除き、これによりすべての作業は完了する。
【００７３】
なお、上記実施形態では、補強組立体９８を上方に移動し、この上方に移動した補強組立体９８の下側に閉塞具１を設定し、この閉塞具１によって上方の補強組立体９８やその構成部材などが降下した場合、この補強組立体９８やその構成部材などの降下物を受け止めて、下方への降下を防止しているが、本発明はこれに限定されるものでなく、閉塞具１は任意の降下物を受け止め、その下方への降下を防止できるものである。
【符号の説明】
【００７４】
１  閉塞具
１ａ  環状部材
１ｂ  棒状部材
３  アラミドロッド
５  ＰＣ鋼線
７  ロッド配置用スペーサ
９  ビニールバンド
１１  補強環
１３  ガイド棒
１５、１９  ガイド棒固定用治具
２７  ステンレスワイヤ
３１  保護アーム組立体
３３  縮退自在アーム
９８  補強組立体
１０１  中空柱
１０１ａ  側部開口
１０３  ビニールロープ
１０７  ステンレスワイヤロープ
１１１  足場用鉄パイプ
１１３  水抜孔
【図１】
2011162949.tif 000003
【図２】
2011162949.tif 000004
【図３】
2011162949.tif 000005
【図４】
2011162949.tif 000006
【図５】
2011162949.tif 000007
【図６】
2011162949.tif 000008
【図７】
2011162949.tif 000009
【図８】
2011162949.tif 000010
【図９】
2011162949.tif 000011
【図１０】
2011162949.tif 000012